(57)【特許請求の範囲】
【請求項１】
各極に備えられる開閉接触子、前記開閉接触子を保持する接触子ホルダー、前記接触子ホルダーを連結するクロスバー、および前記接触子ホルダーのいずれかの極の部分に連結され前記クロスバーを回転操作する各極共通の開閉機構を有する多極回路遮断器において、
前記クロスバーと前記接触子ホルダーとは、心金を覆うように絶縁材料が配置されて一体的に成形加工された一体成形部材であり、前記心金が、前記クロスバー部分に配置された各極にまたがる共通心金と、前記共通心金と一体的に設けられ、前記接触子ホルダー部分に配置された腕心金とを備え、
前記腕心金は、少なくとも前記開閉機構が連結される接触子ホルダーの極に配置され、前記開閉機構はその極の腕心金の部分と連結されていることを特徴とする、多極回路遮断器。
【発明の詳細な説明】
【０００１】
【発明の属する技術分野】
本発明は、多極回路遮断器、特にその開閉接触子の保持部材に関する。
【０００２】
【従来の技術】
従来の回路遮断器の一例が図６に示されている。この回路遮断器は、成形絶縁物製ケース１００並びに成型絶縁物ケース１００内に収納された開閉接触子を含む主回路導電部及び開閉接触子を操作する開閉機構を有する。
【０００３】
主回路導電部は、一端が端子を形成し他端に接点１０１を有する固定接触子１０２及び接触子ホルダー１０３上に軸１０４によって回転自在に保持されるとともに一端に接点１０５を有し他端に可撓リード１０６を有する可動接触子１０７並びに可撓リード１０６の他端から中継端子を介して順次接続されている過電流引外し装置１０８用の導体１０９及び他方の端子１１０を有している。
【０００４】
開閉機構は、軸１１１に回転自在に保持されているトリップレバー１１２、トリップレバー１１２の反時計方向の回転を阻止しているラッチ機構１１３、トリップレバー１１２上に軸１１４によって回転自在に保持されているリンク板１１５、軸１０４によって接触子ホルダー１０３上に回転自在に保持されているリンク板１１６、リンク板１１５とリンク板１１６を互いに回転自在に連結する軸１１７、軸１１８の周りを回転するハンドル１１９及びハンドル１１９と軸１１７との間に設けられているばね１２０を有している。
【０００５】
図６はこの回路遮断器の閉路状態を示しており、ばね１２０の力により軸１１７が左方向へ付勢されリンク板１１５とリンク板１１６が略一直線の状態にあり、接触子ホルダー１０３が軸１２１を中心として反時計方向に回転した状態となっている。そして、可動接触子１０７がばね１２２の力により反時計方向に回転し接点１０１と接点１０５が接触している。この閉路状態においてハンドル１１９を時計方向に回転させてばね１２０の力の作用線が左から右へ軸１１４を超えたとき、ばね１２０の力により軸１１７が右方向へ付勢されリンク板１１５とリンク板１１６が逆く字状に折れる。このため可動接触子１０７と共に接触子ホルダー１０３が時計方向に回転し接点１０１と接点１０５が開離した開路状態となる。開路状態からハンドル１１９を反時計方向に回転するとリンク板１１５とリンク板１１６が略一直線となり図６の閉路状態となる。また、過電流が流れて過電流引き外し装置１０８が動作するとラッチ機構１１３のラッチの係合が解消しトリップレバー１１２が反時計方向に回転する。この回転によりリンク板１１５及びリンク板１１６が上方に変位し接触子ホルダー１０３が時計方向に回転し接点１０１と接点１０５が開離したトリップ状態となる。
【０００６】
回路遮断器には、一つの開閉機構及び互いに絶縁された複数の主回路導電部を有する多極型のものがある。この多極型の回路遮断器は、開閉機構を操作することによって複数極の開閉接点を同時に開閉操作することができる。例えば３極型回路遮断器は、中央極に開閉機構が設けられ、中央極の導電部は開閉機構に直接連結され、両端極の導電部は絶縁物製のクロスバー１２３によって中央極と連結される構造になっているものが多い。
【０００７】
このような回路遮断器のばね１２２やばね１２０は大きな作用力を有するものが選定されるほか短絡電流が流れたときは大きな電磁反発力が作用するため、接触子ホルダー１０３やクロスバー１２３は大きな機械力に耐える部材が用いられる。このため、この従来の回路遮断器の接触子ホルダー１０３としては鉄板が用いられていた。また、クロスバー１２３としては鉄製の心棒に巻寿司状に熱硬化性の合成樹脂絶縁物を巻いて熱と圧力を加えて絶縁性と強度のある部材が用いられ、コ字状のかしめ金具１２４で各極の接触子ホルダー１０３にかしめ付けられていた。
【０００８】
【発明が解決しようとする課題】
従来の回路遮断器にあっては、クロスバ−１２３の製造が複雑な上、絶縁物であるクロスバー１２３を接触子ホルダー１０３にかしめ付ける際にかしめ力が大きすぎるとクロスバー１２３を破損させ小さすぎると緩みやすいため、寸法の管理や作業管理も複雑であるという問題があった。
【０００９】
したがって、本発明は製造が簡単で強い強度を有するクロスバーおよび接触子ホルダー部材を有する回路遮断器を提供することにある。
【００１０】
【課題を解決するための手段】
上記の問題を解決するために、請求項１の発明は、各極に備えられる開閉接触子、開閉接触子を保持する接触子ホルダー、接触子ホルダーを連結するクロスバー、および接触子ホルダーのいずれかの極の部分に連結されクロスバーを回転操作する各極共通の開閉機構を有する多極回路遮断器である。この多極回路遮断器では、クロスバーと接触子ホルダーとは、心金を覆うように絶縁材料が配置されて一体的に成形加工された一体成形部材であり、心金が、クロスバー部分に配置された各極にまたがる共通心金と、共通心金と一体的に設けられ、接触子ホルダー部分に配置された腕心金とを備える。また、腕心金は、少なくとも開閉機構が連結される接触子ホルダーの極に配置され、開閉機構はその極の腕心金の部分と連結されている。
【００１１】
このような構成により、クロスバー部分及び接触子ホルダー部分はそれぞれ共通心金及び腕心金によって補強されているため機械的強度が強い。また、両心金は最初から一体物として製造されてもよいが、別々に製造された両心金を一体化してもよく、一体化加工は双方が金属であるため加工管理が容易である。さらに、両心金を心金としてクロスバー部分と接触子ホルダー部分が絶縁材料を被覆材として一体的に成形加工されるため成形加工も容易である。この結果、両心金全体を絶縁物で覆うことが容易で確実となるため絶縁性能が向上する。なお、この絶縁物は、接触子ホルダーが回転可能に保持される孔に係合する突起などを両端に形成されてもよい。
【００１３】
また、この構成によれば、少なくともより強度の必要な、開閉機構と連結される極には腕心金が配置され、この腕心金の部分で開閉機構が連結されるため、複数極分の大きな開閉力に耐えることができる。ここで、腕心金の部分とは、腕心金に形成された孔において開閉機構と連結する構成などのように、連結部に作用する力を負担するように腕心金が配置されていることを意味する。
【００１４】
【発明の実施の形態】
本発明の実施の形態を、図１ないし図５に示される３極型回路遮断器の実施例において説明する。
【００１５】
図１ないし図３を参照して、この回路遮断器の接触子保持部材１はクロスバー部分と接触子ホルダー部分が一体成型された成型絶縁物製の部材である。この接触子保持部材１は、クロスバー部分の内部に各極にまたがる板金加工された断面がコ字状の共通心金２を有し、各極の接触子ホルダー部分の内部にそれぞれ板金加工された断面がコ字状の腕心金３、４、５を有している。腕心金３、４、５は共通心金２にかしめ付けられており、中央極の腕心金４はリブ形成された孔４ａを有し両端極の腕心金３、５より長い。この接触子保持部材１は腕心金４の孔４ａの内壁を含めて心金全体が絶縁物によって覆われており、クロスバー部分の両端には円柱状の軸１ａが形成されている。
【００１６】
図４及び図５を参照して、この回路遮断器は、成型絶縁物製のケース６に収納された各極ごとに設けられた主回路導電部と中央極に設けられた開閉機構を有している。主回路導電部は、一端に端子８ａが形成され他端に開閉接点７が取付けられた固定接触子８及び一端に開閉接点７と接触及び開離する開閉接点９を有し他端に可撓リード１０を有する可動接触子１１並びに可撓リード１０の他端から順次接続されている中継端子１２及び一部が図示されている他方の端子部材１３を有する。各極の可動接触子１１は接触子保持部材１の各極の接触子ホルダー部分に形成された孔１ｂに挿入される軸１４によって回転自在に装着され、接圧ばね１５によって反時計方向に付勢されている。
【００１７】
開閉機構は、フレーム１６、断面がコ字状に曲げられその脚の円弧状端部１７ａがフレーム１６の円弧状凹部１６ａ上を摺動して回転するハンドルレバー１７、フレーム１６に設けられた軸１８によって回転自在に保持されるトリップレバー１９、トリップレバー１９の反時計方向の回転を阻止するラッチ機構２０、軸２１によってトリップレバー１９に回転自在に保持される上リンク板２２、軸２３によって接触子保持部材１に回転自在に保持される下リンク板２４、上リンク板２２と下リンク板２４を回転自在に連結する軸２５、ハンドルレバー１７と軸２５との間に設けられるばね２６及びハンドルレバー１７に取付けられるとともにケース６の開口部から突き出る成型絶縁物製のハンドル２７を有する。なお、接触子保持部材１はケース６の図示されていない軸受に円柱状の軸１ａがはめ込まれて回転自在に保持されている。
【００１８】
閉路状態を示している図４を参照して、この回路遮断器のハンドル２７は閉路位置にあり、ばね２６の力により軸２５が左方向に変位した状態にある。この状態において、上リンク板２２と下リンク板２４とは略一直線の状態にあり、接触子保持部材１が可動接触子１１と共に反時計方向に回転し接圧ばね１５の力で開閉接点７と開閉接点９が接触している。
【００１９】
閉路状態においてハンドル２７を時計方向に回転させると、ばね２６の力の作用線が軸２１を左から右方向へ移動する。この移動により、上リンク板２２と下リンク板２４が逆く字状に折れ曲がり、接触子保持部材１が可動接触子１１と共に時計方向に回転し、開閉接点７と開閉接点９が開離した開路状態となる。
さらに、閉路状態において、過電流が流れて図示されていない過電流引外し装置が動作するとトリップレバー１９とラッチ機構２０の係合が解消し、トリップレバー１９が反時計方向に回転する。この回転により上リンク板２２及び下リンク板２４を介して可動接触子１１と共に接触子保持部材１が時計方向に回転し、開閉接点７と開閉接点９が開離したトリップ状態となる。
【００２０】
この回路遮断器の開閉機構と接触子保持部材１とを連結する軸２３は、中央極の腕心金４の孔４ａの内壁を覆う成型絶縁部材によって形成されている孔１ｃに挿入されている。このため中央極の接触子ホルダー部分の強度は両端２極の可動接触子１１を連動して操作するに十分な強度を有する。また、接触子保持部材１の両端２極の接触子ホルダー部分もその根元付近に腕心金３及び腕心金５が位置しているため大きな強度を有している。また、各極の可動接触子１１を保持する軸１４が挿通する接触子保持部材１の孔１ｂが腕心金３、４、５から離れた位置に形成されているため各極が互いに絶縁されている。
【００２１】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００２２】
【発明の効果】
本発明は、以上説明した形態で実施され、各極の接触子ホルダー部分を連結するクロスバー部分は共通心金によって補強され、各極の接触子ホルダー部分は共通心金と一体的に設けられた腕心金によって補強され、両心金を絶縁材料で一体的に成型することにしているため、強度が強く絶縁性能がよく製造が簡単な多極回路遮断器を提供できるという効果を奏する。
【図面の簡単な説明】
【図１】  本発明による多極回路遮断器の可動側開閉接触子を含む部分平面図である。
【図２】  図１に含まれる接触子保持部材の内部に設けられる心金の斜視図である。
【図３】  図１に含まれる接触子保持部材だけを（ａ）Ａ−Ａ及び（ｂ）Ｂ−Ｂから見た断面図である。
【図４】  本発明による多極回路遮断器の側面断面図である。
【図５】  図４の多極回路遮断器の外観正面図である。
【図６】  従来の回路遮断器の側面断面図である。
【符号の説明】
１  接触子保持部材、１ａ  円柱状の軸、１ｂ  孔、１ｃ  軸が挿入される孔、２  共通心金、３，４，５  腕心金、４ａ  孔、６  ケース、 ７，９  開閉接点 、８  固定接触子、８ａ  端子、１０  可撓リード、１１  可動接触子、１２  中継端子、１３  端子部材、１４  軸、１５  接圧ばね、１６  フレーム、１６ａ  円弧状凹部、１７  ハンドルレバー、１７ａ  円弧状端部、１８  軸、１９  トリップレバー、２０  ラッチ機構、２１  軸、２２  上リンク板、２３  軸、２４  下リンク板、２５  軸、２６  ばね、２７  ハンドル。
【図１】
0004689110.tif 000002
【図２】
0004689110.tif 000003
【図３】
0004689110.tif 000004
【図４】
0004689110.tif 000005
【図５】
0004689110.tif 000006
【図６】
0004689110.tif 000007